(57)【特許請求の範囲】
【請求項１】
ブラインド支持部材（１２）の端部に取付けられるケース（２２）と、ケース（２２）の長手方向に移動可能かつ回転不能に支持されるボルト軸（２４）と、ボルト軸（２４）に対して螺合し、ボルト軸（２４）のブラインド支持部材（１２）からの突出量を調節可能なナット部材（２６）と、を備え、ナット部材（２６）をケース（２２）に当接させた状態で締め付けることにより、ボルト軸（２４）をケース（２２）から突出させて固定面（１８）に圧接させることでブラインド支持部材（１２）を支持するブラインドの取付装置において、
ケース（２２）とナット部材（２６）との間に、ナット部材（２６）をケース（２２）に当接させた状態で所定値以上の大きさの力ではナット部材（２６）を緩める方向へのナット部材（２６）の回転を許容するが、所定値より小さい力ではナット部材（２６）を緩める方向へのナット部材（２６）の回転を規制する回転防止部材を設け、
回転防止部材は、ケース（２２）及びナット部材（２６）のいずれ一方に設けられ、弾性力によりケース（２２）及びナット部材（２６）の他方に向かって常時付勢された状態にあるストッパ（３０）と、ケース（２２）及びナット部材（２６）の他方の周上に形成されてストッパ（３０）が係合可能な凹凸部（２６ａ）と、から成ることを特徴とするブラインドの取付装置。
【請求項２】
ストッパ（３０）は、ケース（２２）の端面から出没可能に設けられ、ナット部材（２６）がケース（２２）の端面に当接するときに、ナット部材（２６）のケース側端面に連続して形成された凹凸部（２６ａ）とストッパ（３０）とが係合可能であることを特徴とする請求項１記載のブラインドの取付装置。
【発明の詳細な説明】
【技術分野】
【０００１】
本発明は、壁面等の固定面に圧接させることによりブラインド支持部材を固定面に支持させてブラインドを取付けるブラインドの取付装置に関する。
【背景技術】
【０００２】
この種のブラインドの取付装置としては、特許文献１に示されるものが知られている。
【０００３】
これに示されるブラインドの取付装置は、ヘッドボックスの端部に設けたボックスキャップに非円形の案内孔を穿設し、案内孔に摺動自在に係合するとともに非円形断面形状を有する軸部の周面に雄ネジを形成し、この雄ネジにナットを係合させ、ナットをボックスキャップに当接させて回転させることにより、軸部をボックスキャップから突出させ、軸部の先端を壁面に圧接させて、ヘッドボックスを相対する壁面の間に突張り状態で固定するようにし、ボックスキャップに設けた案内孔の底部と案内孔内に摺動自在に係合する軸部の端部との間に、ヘッドボックス仮止めのための弾性体を配置して、ヘッドボックスの固定に際して、弾性体の反発力の作用によりヘッドボックスを相対する壁面の間に仮止め状態に固定するようにしたものである。
【０００４】
これによって、ナットがヘッドボックスに当接するまでは弾性体の反発力でブラインドを支持し、ナットがヘッドボックスに当接した後に、さらにナットを締め付けると、軸部がボックスキャップより突出し、弾性体が徐々に伸びて反発力は弱まるが、軸部が相対する壁面に対して突っ張る力によって、ブラインドが弾性体の反発力よりも強固に支持されるようにしている。
【先行技術文献】
【特許文献】
【０００５】
【特許文献１】実開平１−１１４７９７号公報
【発明の概要】
【発明が解決しようとする課題】
【０００６】
しかしながら、特許文献１記載のブラインドの取付装置では、壁面間に固定したブラインドを繰り返し操作すると、ヘッドボックスに捻れ方向の回転が加わることによってナットが回転して緩んでしまい、固定状態が保持できなくなる恐れがある。
【０００７】
また、ナットの締め付け作業を過剰な力で行うと、軸部が過度に突出して壁面に対して突っ張る力が大きくなるため、壁面の強度如何では壁面を破損させてしまう恐れがある。
【０００８】
本発明はこのような課題を解決するためのものであり、ブラインドの取付けまたは取り外し作業時以外における固定状態を確実に保持することができるブラインドの取付装置を提供することをその目的とする。
【課題を解決するための手段】
【０００９】
前述した目的を達成するために、本発明は、ブラインド支持部材の端部に取付けられるケースと、ケースの長手方向に移動可能かつ回転不能に支持されるボルト軸と、ボルト軸に対して螺合し、ボルト軸のブラインド支持部材からの突出量を調節可能なナット部材と、を備え、ナット部材をケースに当接させた状態で締め付けることにより、ボルト軸をケースから突出させて固定面に圧接させることでブラインド支持部材を支持するブラインドの取付装置において、
ケースとナット部材との間に、ナット部材をケースに当接させた状態で所定値以上の大きさの力ではナット部材を緩める方向へのナット部材の回転を許容するが、所定値より小さい力ではナット部材を緩める方向へのナット部材の回転を規制する回転防止部材を設けることを特徴とする。
【００１０】
さらに、回転防止部材は、ケース及びナット部材のいずれか一方に設けられ、弾性力によりケース及びナット部材の他方に向かって常時付勢された状態にあるストッパと、ケース及びナット部材の他方の周上に形成されてストッパが係合可能な凹凸部と、から成ることを特徴とする。
【００１１】
さらに、ストッパは、ケースの端面から出没可能に設けられ、ナット部材がケースの端面に当接するときに、ナット部材のケース側端面に連続して形成された凹凸部とストッパとが係合可能であることを特徴とする。
【発明の効果】
【００１２】
本発明によれば、回転防止部材によってナット部材の回転が所定値より小さい力の範囲内で規制されるため、ブラインドの取付け作業時または取外し作業時以外におけるナット部材を緩める方向へのナット部材の回転が防止され、ブラインドの固定状態を確実に維持することができる。
【００１３】
また、回転防止部材のストッパと凹凸部とが係合するとクリック感及び／またはクリック音が発生し、さらにナット部材の締め付け操作を続けるとクリック感及び／またはクリック音が連続的に発生しまたは強くなるので、操作者に対する締め付け完了の合図となる。よって、ナットの過度の締め付けを防止し、固定面の破損を防止することができる。
【００１４】
また、ストッパが凹凸部と係合するようにすると、ナット部材がボルト軸がケースから引込む方向へ回転しようとしてもストッパが凹凸部を乗り越えなければ回転できないため、ナット部材の回転に対して抵抗を与え、ナット部材の回転を防止することができる。
【図面の簡単な説明】
【００１５】
【図１】本発明のブラインド取付装置が適用されるブラインドの斜視図である。
【図２】実施形態に係る取付装置の分解斜視図である。
【図３】実施形態に係る取付装置の組み立てられた状態を表す斜視図である。
【図４】他の取付装置の分解斜視図である。
【図５】他の取付装置がブラインドの壁面に取付けられた状態を表す正面図である。
【図６】ブラインドを壁面に取付ける手順を示す平面図であり、（ａ）は壁面に取付ける前のナット部材を緩めた状態で、ボルト軸をケース内に押し込んだ状態を示し、（ｂ）はボルト軸端部を壁面に取り付けた受部に嵌め込んだ状態を示し、（ｃ）はナット部材を締め付けていく状態を示し、（ｄ）は更にナット部材を締め付け、ボルト軸を壁面に圧接する状態を示す。
【発明を実施するための形態】
【００１６】
以下、図面を用いて本発明の実施形態を説明する。
【００１７】
図１に示したように、ブラインド１０は、壁面１８等の固定面に対してネジを用いずに取付けられるものであり、ブラインド１０の遮蔽材を支持するブラインド支持部材であるヘッドボックス１２の両端部が、取付装置１４、１６によって壁面１８に取付けられる。尚、ブラインド１０は、この例では、横型ブラインドとなっているが、これに限るものではなく、ロールスクリーン等の任意のブラインドとすることができる。
【００１８】
一方の取付装置１４は、図２及び図３に示すように、ケース２２と、ボルト軸２４と、ナット部材２６と、仮止めスプリング２８と、ストッパ３０と、戻り防止スプリング３２と、を備える。
【００１９】
ケース２２は、ヘッドボックス１２内に端部から挿入されてヘッドボックス１２の端部に固定されるものであり、ケース２２内には、長手方向に延びて非円形断面形状をなした貫通孔２２ａが形成されている。貫通孔２２ａは、ヘッドボックス１２中心側で閉塞される一方、ヘッドボックス１２の端部側で開口される。
【００２０】
そして、ケース２２の貫通孔２２ａにはヘッドボックス１２の端部側から、ボルト軸２４の一端２４ａが挿入される。ボルト軸２４は、その外形断面形状が前記貫通孔２２ａに合致した非円形断面形状となっており、前記非円形断面形状の貫通孔２２ａを貫通することで、ケース２２の長手方向に移動可能に且つ回転不能に支持されて、ケース２２内に引込みまたはケース２２から突出可能となっている。ボルト軸２４の外周面には雄ネジ２４ｃが形成されている。また、ボルト軸２４の他端２４ｂには、揺動可能に嵌合部材３４が取付けられており、嵌合部材３４は、壁面１８に取付けられた受部２０に嵌合可能となっている。
【００２１】
ナット部材２６は、ボルト軸２４の雄ネジ２４ｃに螺合してボルト軸２４上に位置している。ナット部材２６は、ケース２２及びヘッドボックス１２の外側にあって、ケース２２の端面に当接可能となっており、ケース２２の端面に当接された状態で回転されることで、ボルト軸２４のケース２２及びヘッドボックス１２からの突出量を調節可能となっている。そして、ナット部材２６のケース側端面には、円周方向全周にわたって、ケース２２の端面に向かって凹凸が連続して繰り返された凹凸部２６ａが形成されている。
【００２２】
ケース２２内には、閉塞された端面とボルト軸２４との間に仮止めスプリング２８が配設され、スプリング２８はボルト軸２４をケース２２外へと突出する方向へ付勢している。
【００２３】
さらに、ケース２２には、その上部にストッパ収納部２２ｂが設けられる。ストッパ収納部２２ｂは、貫通孔２２ａと同様にヘッドボックス１２の端部側で開口しており、さらに、ストッパ収納部２２ｂには係合孔２２ｃ、２２ｃが形成される。
【００２４】
ストッパ収納部２２ｂには、ストッパ３０が収納される。ストッパ３０は、一対の係止片３０ａ、３０ａを備えており、その端部に形成された係止爪３０ｂ、３０ｂが前記係合孔２２ｃ、２２ｃに係止可能となっており、これによって、ストッパ３０は、ストッパ収納部２２ｂからのストッパ３０の脱落が防止された状態で、ストッパ収納部２２ｂ内でケース２２の長手方向に所定のストロークで移動可能となっている。さらに、ストッパ３０の一対の係止片３０ａ、３０ａの間には、スプリング受けロッド３０ｃが平行に延びており、このスプリング受けロッド３０ｃの周りには、戻り防止スプリング３２が配設されている。戻り防止スプリング３２は、ストッパ収納部２２ｂ内に設けられる受面２２ｄとストッパ３０との間にあって、ストッパ３０をヘッドボックス１２の外側へと突出させる方向に付勢している。ストッパ３０の突出端３０ｅは、ケース２２のヘッドボックス１２端部側において、出没可能となっており、前記ナット部材２６の凹凸部２６ａの凹部に噛み合い可能となっている。
【００２５】
このナット部材２６の凹凸部２６ａとストッパ３０とにより回転防止部材が構成される。
【００２６】
また、他方の取付装置１６は、図４及び図５に示すように、ケース２２’と、ボルト軸２４と、ナット部材２６とを備える。ボルト軸２４及びナット部材２６は、取付装置１４のものと同じ部品となっている。
【００２７】
ケース２２’は、ケース２２よりも長手方向に短く、貫通孔２２’ａは、ヘッドボックス１２中心側でも開口してケース２２’を完全に貫通している。
【００２８】
両取付装置１４、１６は、図１中ヘッドボックス１２の外周部にスライド可能となったカバー４０によって覆い隠すことが可能となっている。
【００２９】
次に、ブラインド１０を壁面１８に取付ける手順について説明する。
【００３０】
まず、相対する壁面１８には、両面テープ等の接着手段によって受部２０が取付けられている。そして、ヘッドボックス１２の左端部の取付装置１４のナット部材２６を回転して、ボルト軸２４の他端２４ｂ側に移動させた状態で、仮止めスプリング２８の弾性力に抗してボルト軸２４をケース２２内に押し込んだ後、図６（ａ）中矢印Ａで示すように、嵌合部材３４を受部２０に嵌め込む。ほぼ同時に、右端部の取付装置１６の嵌合部材３４を対応する受部２０に嵌め込む。
【００３１】
図６（ｂ）中矢印Ｂで示すように、仮止めスプリング２８によってボルト軸２４及び嵌合部材３４が受部２０に向かって付勢されるので、ヘッドボックス１２の仮止めを行うことができる。
【００３２】
こうして、仮止めした状態で、右端部の取付装置１６のナット部材２６を回転して、ナット部材２６と壁面１８との間の隙間を、左右で均等になるような隙間になるようにする。
【００３３】
次いで、図６（ｃ）に示すように、左端部の取付装置１４のナット部材２６を矢印ａ方向に回転させて締め付けていく。これによりナット部材２６は矢印Ｃ方向にボルト軸２４上を移動していくので、ナット部材２６をケース２２の端面に当接する位置まで移動させる。
【００３４】
この後、図６（ｄ）に示すように、ナット部材２６を矢印ａ方向に更に回転させると、ナット部材２６の凹凸部２６ａがストッパ３０の突出端３０ｅに対して接触しながら回転するので、クリック感及び／またはクリック音が発生する。即ち、ナット部材２６の凹凸部２６ａの凸部がストッパ３０に当たるとストッパ３０が戻り防止スプリング３２の付勢力に抗して一時的にケース２２内に引っ込み、その後凹凸部２６ａの凹部がストッパ３０の位置に来ると、戻り防止スプリング３２の弾性力によりストッパ３０が貫通孔２２ａから突出しこれに係合するという動作を繰り返す。
【００３５】
ナット部材２６の回転操作を続けていくと、このクリック感及び／またはクリック音が連続的に発生しまたは強くなるので、操作者に対して、ナット部材２６の回転による締め付けが完了した合図となる。また、ナット部材２６とストッパ３０との摩擦抵抗が強くなるために、ナット部材２６を回転することが困難となる。特に、ナット部材２６及びストッパ３０は合成樹脂で形成されるので、合成樹脂同士の表面が接することで摩擦抵抗を大きくすることができ、且つナット部材２６の凹凸部２６ａとストッパ３０の突出端３０ｅとの係合により、摩擦抵抗を一層大きくすることができる。
【００３６】
クリック音の発生に合わせて、ナット部材２６の回転を停止することで、ストッパ３０の突出端３０ｅは、ナット部材２６の凹凸部２６ａの凹部に係合する。
【００３７】
こうして、ナット部材２６を所定量締め付けることにより、ボルト軸２４が矢印Ｄ方向に所定量突出して、嵌合部材３４が受部２０に圧接し、相対する壁面１８間で突張り状態となり、ブラインド１０が壁面１８に確実に取付けられる。そして、ナット部材２６の締め付けが適当なタイミングで停止されるので、壁面１８を破損させることを防ぐことができる。
【００３８】
取付け作業が終了すると、カバー４０をスライドさせて、取付装置１４及び１６を覆い隠す。
【００３９】
ブラインド１０が取付けられた後は、ナット部材２６の凹凸部２６ａの凹部にストッパ３０の突出端３０ｅが係合して戻り防止スプリング３２によって係合が付勢されるために、ナット部材２６の回転は規制される。このストッパ３０とナット部材２６の凹凸部２６ａとの係合は、戻り防止スプリング３２の弾性力及び凹凸部２６ａの凹凸高さによって決める所定値より小さい力では外れないようになっており、従って、ブラインド１０の操作中にヘッドボックス１２に捩り方向の回転が発生して所定値より小さい力が作用したとしても、ナット部材２６が緩んでケース２２から離間する方向に移動することはできず、または、ボルト軸２４をケース２２内へと引込む方向へとナット部材２６が回転することはできないようになっている。こうしてブラインドの固定状態を確実に維持することができる。
【００４０】
その一方で、ブラインド１０を取り外す必要があるときには、所定値よりも大きい力でナット部材２６を回転すれば、ストッパ３０が戻り防止スプリング３２の付勢力に抗して引っ込むために、ナット部材２６は回転することができ、ナット部材２６がケース２２から離間する方向に移動し、または、ボルト軸２４がケース２２内へと引込む方向へと移動するので、ボルト軸２４による壁面１８への圧接が解除されて、ヘッドボックス１２を壁面１８から取り外すことができる。
【００４１】
以上の実施形態では、ストッパ３０をケース２２に設け、凹凸部２６ａをナット部材２６に設けたが、これに限定されるものではない。ストッパをナット部材２６に設け、凹凸部をケース２２に設けるようにしてもよい。
【符号の説明】
【００４２】
１０  ブラインド
１２  ヘッドボックス（ブラインド支持部材）
１８  壁面（固定面）
２２  ケース
２４  ボルト軸
２６  ナット部材
２６ａ  凹凸部（回転防止部材）
３０  ストッパ（回転防止部材）
【図１】
0005667839.tif 000002
【図２】
0005667839.tif 000003
【図３】
0005667839.tif 000004
【図４】
0005667839.tif 000005
【図５】
0005667839.tif 000006
【図６】
0005667839.tif 000007